(57)【要約】      （修正有）【課題】傘置き及び傘の取り出し作業が簡素化でき、小さな子供や高齢者でも容易に傘置き及び傘の取り出し作業ができる傘置きスタンドを提供すること。【解決手段】ベース部１に２個以上の傘保持台２をそれぞれ独立して設けてあり、前記傘保持台２は、ベース部１から立ち上げた柱部２０の上部に横梁２１を設けると共に前記横梁２１に対して、側方への移動のみにより傘Ｋを係脱できる保持部２２（錠前５）を多数配列してある。傘保持台２は、門型に形成されている。傘保持台２，２相互をプレートにより一カ所で結合してある。【選択図】図１
2007089995.tif 000002
【特許請求の範囲】
【請求項１】
ベース部に２個以上の傘保持台をそれぞれ独立して設けてあり、前記傘保持台は、ベース部から立ち上げた柱部の上部に横梁を設けると共に前記横梁に対して、側方への移動のみにより傘を係脱できる保持部を多数配列してあることを特徴とする傘置きスタンド。
【請求項２】
傘保持台は、門型に形成されていることを特徴とする請求項１記載の傘置きスタンド。
【請求項３】
傘保持台相互をプレートにより一カ所で結合してあることを特徴とする請求項１又は２記載の傘置きスタンド。
【請求項４】
各保持部が錠前で構成されていることを特徴とする請求項１乃至３のいずれかに記載の傘置きスタンド。
【請求項５】
傘保持台はベース部に対して、前後方向又は左右方向に配列されていることを特徴とする請求項１乃至４のいずれかに記載の傘置きスタンド。
【請求項６】
傘保持台相互の間隔は、傘の取り出し時において他の傘と接触することなく移動できるように設定してあることを特徴とする請求項１乃至５のいずれかに記載の傘置きスタンド。
【発明の詳細な説明】
【技術分野】
【０００１】
この発明は、傘置きスタンドに関するものである。
【背景技術】
【０００２】
従来の傘置きスタンドは、通常、区画された開口部に傘を挿入し、前記傘を立てた状態で納める（例えば、特許文献１。）。
【０００３】
この種の傘置きスタンドに傘を置く場合には、石突きが開口部よりも高い位置になるまで傘を引き上げた後、その状態を維持しながら平面視でスタンド内に移動させ、傘を開口部内に挿入する。
【０００４】
また、この傘置きスタンドから傘を取り出す場合には、石突きが開口部から完全に抜け出る位置まで傘を引き上げ、その状態を維持しながらスタンド外まで移動させる。
【０００５】
つまり、上記傘置き及び傘の取り出し作業においては、いずれの場合にも、石突きが開口部よりも高い位置となるまで傘を引き上げた状態で側方へ移動する作業が必要である。
【０００６】
したがって、傘置き及び傘の取り出し作業が面倒であり、特に小さな子供や高齢者にとっては高く傘を引き上げなければならないので負担が大きいという問題がある。なお、この問題解決にあたって、傘の取り出し時に当該傘に他の傘に付着した水滴が付着するようなことは回避したい。
【発明の開示】
【発明が解決しようとする課題】
【０００７】
そこで、この発明では、傘置き及び傘の取り出し作業が簡素化でき、小さな子供や高齢者でも容易に傘置き及び傘の取り出し作業ができ、更に、傘の取り出し時に当該傘に他の傘に付着した水滴が付着しない傘置きスタンドを提供することを課題とする。
【課題を解決するための手段】
【０００８】
（請求項１記載の発明）
この発明の傘置きスタンドは、ベース部に２個以上の傘保持台をそれぞれ独立して設けてあり、前記傘保持台は、ベース部から立ち上げた柱部の上部に横梁を設けると共に前記横梁に対して、側方への移動のみにより傘を係脱できる保持部を多数配列してある。
【０００９】
（請求項２記載の発明）
この発明は、上記請求項１記載の発明に関し、傘保持台は、門型に形成されている。
【００１０】
（請求項３記載の発明）
この発明は、上記請求項１又は２記載の発明に関し、傘保持台相互をプレートにより一カ所で結合してある。
【００１１】
（請求項４記載の発明）
この発明は、上記請求項１乃至３のいずれかに記載の発明に関し、各保持部が錠前で構成されている。
【００１２】
（請求項５記載の発明）
この発明は、上記請求項１乃至４のいずれかに記載の発明に関し、傘保持台はベース部に対して、前後方向又は左右方向に配列されている。
【００１３】
（請求項６記載の発明）
この発明は、上記請求項１乃至５のいずれかに記載の発明に関し、傘保持台相互の間隔は、傘の取り出し時において他の傘と接触することなく移動できるように設定してある。
【発明の効果】
【００１４】
この発明の傘置きスタンドを採用した場合、傘置き及び傘の取り出し作業が簡素化でき、小さな子供や高齢者でも容易に傘置き及び傘の取り出し作業ができ、更に、傘の取り出し時に当該傘に他の傘に付着した水滴が付着しない。
【発明を実施するための最良の形態】
【００１５】
以下にこの発明の傘置きスタンドを実施するための最良の形態としての実施例について詳細に説明する。
【実施例１】
【００１６】
図１はこの発明の実施例１の傘置きスタンドＳＤの斜視図、図２は前記傘置きスタンドＳＤに傘を置いた場合等の斜視図を示している。
【００１７】
（この傘置きスタンドＳＤの基本的構成について）
この傘置きスタンドＳＤは、図１に示すように、ベース部１に対して前後方向に３個の傘保持台２をそれぞれ独立して設けてあり、前記傘保持台２は、ベース部１から立ち上げた二本の柱部２０，２０の上部に横梁２１を架設する（門型形状にする）と共に前記横梁２１に対して、側方への移動のみにより傘Ｋを係脱できる保持部２２を多数配列してある。
【００１８】
ベース部１は、図１に示すように、角材により形成された前部材１０とこれに一体化された二本の横部材１１，１１とから構成されており、前記二本の横部材１１，１１は前方から奥に向かって相互に広がる態様となっている。ここで、このベース部１では、図１に示すように、前部材１０の左右端部及び横部材１１，１１の奥側端部における下面に、キャスター４を取り付けてある。また、前記前部材１０及び横部材１１，１１で形成される空間部分には傘から垂れる水滴を受けるための水受け皿３が着脱自在に嵌め込んである。
【００１９】
傘保持台２，２，２は、上述した如く門型形状となっているが、その背丈及び幅は後部が大型、中部が中型、前部が小型となっている。また、隣合う傘保持台２，２相互の各間隔は、保持部２２から脱出した傘Ｋが横梁２１の長手方向に無理なく（他の傘Ｋに接触することなく）移動できる幅に設定してある。さらに、この実施例では傘置きスタンドＳＤ全体の強度を高めるため、図１に示すように、傘保持台２，２，２相互をプレート６により中央部一カ所で結合してある。
【００２０】
（この傘置きスタンドＳＤの優れた機能について）
(1)傘置き及び傘の取り出し作業が簡素化できることについて
従来の傘置きスタンドにおける傘置き及び傘の取り出し作業では、石突きが開口部よりも高い位置となるまで傘を引き上げた状態で側方へ移動する作業が必要であるのに対して、この実施例の傘置きスタンドＳＤでは、図２に示すように、傘保持台２，２相互間に傘Kを側方から侵入させ、当該傘Kの柄の部分を錠前5に係合させるだけでよい。
【００２１】
つまり、この実施例の傘置きスタンドＳＤを用いると、傘置き及び傘の取り出し作業が簡素化できる
【００２２】
(2)小さな子供や高齢者でも容易に傘置き及び傘の取り出し作業ができることについて
上述した如く、従来の傘置きスタンドＳＤにおける傘置き及び傘の取り出し作業の如き、石突きが開口部よりも高い位置となるまで傘Kを引き上げる作業を要しない。したがって、小さな子供や高齢者でも容易に傘置き及び傘の取り出し作業ができることが明らかである。
【００２３】
(3) 傘の取り出し時に当該傘に他の傘に付着した水滴が付着しないことについて
この傘置きスタンドＳＤでは、隣合う傘保持台２，２相互の各間隔は、保持部２２から脱出した傘Ｋが横梁２１の長手方向に無理なく（他の傘Ｋに接触することなく）移動できる幅に設定してあるので、傘Ｋの取り出し時において、傘置きスタンドＳＤ内の他の傘Ｋに付着している水滴が自分の傘Ｋに付着しないようにできる。
【００２４】
(4)その他の機能について
上記の如く傘置きスタンドＳＤを構成させると、水受け皿３を取り外した状態において、傘置きスタンドＳＤに対して後方から別の傘置きスタンドＳＤを挿入する態様で、傘置きスタンドＳＤ，ＳＤ相互を前後方向に重ねることができる。したがって、晴天時の使用しない場合の格納において省スペース化が計れる。
【００２５】
(他の形態について)
上記実施例１では、ベース部１に対して前後方向に３個の傘保持台２を配置させているが、これに限定されることなく、２個以上であればよい。
【００２６】
上記実施例１では、ベース部１に対して前後方向に複数の傘保持台２を配置させているが、これに限定されることなく、左右方向に複数の傘保持台２を配置させるようにしてもよい。
【００２７】
上記実施例１では、傘保持台２を門型形状としているが、これに限定されることなく、一本の柱部２０に横梁２１を一体化したＴ字形状としてもよい。
【００２８】
上記実施例１では、傘置きスタンドＳＤ全体の強度を高めるため、傘保持台２，２，２相互をプレート６により中央部一カ所で結合してあるが、これに限定されることなく、図３に示すように、傘保持台２，２，２相互をプレート６により結合しなくてもよい。
【００２９】
上記実施例１では保持部２２として錠前５を使用したが、これに限定されることなく、柄が侵入できる開口を有した環状の保持部２２であってもよい。
【図面の簡単な説明】
【００３０】
【図１】この発明の実施例１の傘置きスタンドの斜視図。
【図２】前記傘置きスタンドに傘を置いた場合等の斜視図。
【図３】他の形態の傘置きスタンドの側面図。
【符号の説明】
【００３１】
ＳＤ    傘置きスタンド
１      ベース部
２      傘保持台
２０    柱部  
２１    横梁
２２    保持部（錠前５）
３      水受け皿  
４      キャスター
６      プレート
【図１】
2007089995.tif 000003
【図２】
2007089995.tif 000004
【図３】
2007089995.tif 000005